(57)【要約】【課題】適応プリディストータ型の多面イコライザフィルタ付き歪補償装置に関し、電力増幅器を含むアナログ部の振幅及び位相の両方の周波数特性を等化し、適応プリディストータ型歪補償装置の歪補償特性の精度向上を図る。【解決手段】送信信号に歪補償係数を乗じ、等化用の複素ディジタルフィルタ１−１を通過し、電力増幅器１７−３を通して送信する。適応歪補償係数算出部１７−１は、電力増幅器１７−３の出力信号をフィードバック信号として入力し、参照信号と比較して誤差が最小となるように歪補償係数を算出する。メモリ１−３に、電力増幅器１７−３の振幅及び位相特性に対する等化のためのフィルタ係数群を予め保持し、適応イコライザ１−２はフィードバック信号から得られる情報を基に、メモリ１−３に保持されたフィルタ係数群の中から適応的に最適なフィルタ係数を選択し、該フィルタ係数を複素ディジタルフィルタ１−１に設定する。【選択図】　　　図１
2004128833.tif 000002
【特許請求の範囲】
【請求項１】
電力増幅器を含むアナログ回路部の出力信号のフィードバック信号を基に、適応的に歪補償係数を算出し、該歪補償係数を送信信号に乗じて前記アナログ回路部における歪を補償する歪補償装置において、
前記アナログ回路部の振幅及び位相の周波数特性の逆特性を与えるフィルタを備え、
前記フィルタに対して、同一の位相特性を有し、送信信号帯域内の振幅特性に一定範囲の傾斜を与えるフィルタ係数群を、位相特性の互いに異なる複数組分保持するメモリを有し、
前記フィードバック信号から得られる情報に基づき、前記フィルタに与えるフィルタ係数を、前記メモリに保持されたフィルタ係数群から適応的に選定する手段を備えたことを特徴とする多面イコライザフィルタ付き歪補償装置。
【請求項２】
前記フィードバック信号から帯域外輻射電力を測定する手段と、該帯域外輻射電力の時間平均が最小となるように、前記フィルタ係数をフィルタ係数群の中から適応的に選定する手段とを備えたことを特徴とする請求項１に記載の多面イコライザフィルタ付き歪補償装置。
【請求項３】
同一の位相特性を有するフィルタ係数群における、各振幅傾斜のフィルタ係数に対する平均帯域外輻射電力の最小値を、位相特性の異なる全てのフィルタ係数群に対して算出する手段と、
該位相特性の異なる各フィルタ係数群の各平均帯域外輻射電力の最小値の中の最小値を与える位相特性のフィルタ係数群を適応的に選定する手段を備えたことを特徴とする請求項２に記載の多面イコライザフィルタ付き歪補償装置。
【請求項４】
電力増幅器を含むアナログ回路部の出力信号のフィードバック信号を基に、適応的に歪補償係数を算出し、該歪補償係数を送信信号に乗じて前記アナログ回路部における歪を補償する歪補償装置において、
前記アナログ回路部の振幅及び位相の周波数特性の逆特性をそれぞれ与える従属接続された第１及び第２のフィルタを備え、
送信信号帯域内の振幅特性に一定範囲の傾斜を与える振幅補正用フィルタ係数群及び位相補正用フィルタ係数群を予め保持するメモリを有し、
前記フィードバック信号から得られる情報に基づき、前記第１のフィルタに与えるフィルタ係数を、前記メモリに保持された振幅補正用フィルタ係数群の中かから適応的に選定し、前記第２のフィルタに与えるフィルタ係数を、前記メモリに保持された位相補正用フィルタ係数群の中から適応的に選定する手段を備えたことを特徴とする多面イコライザフィルタ付き歪補償装置。
【請求項５】
前記２つの従属されたフィルタを、切替えスイッチにより１つずつ追加挿入して接続する手段を備え、
１つのフィルタのみが接続された状態で、振幅特性に関して平均帯域外輻射電力が最小となるフィルタ係数をフィルタ係数群から選定して該フィルタに設定した後、もう一方のフィルタを前記切替えスイッチにより接続し、該フィルタに対して、位相特性に関して平均帯域外輻射電力が最小となるフィルタ係数をフィルタ係数群から選定して設定する手段を備えたことを特徴とする請求項４に記載の多面イコライザフィルタ付き歪補償装置。
【発明の詳細な説明】
【０００１】
【発明の属する技術分野】
本発明は、多面イコライザフィルタ付き歪補償装置に関し、特に、移動通信システム用の送信装置等における電力増幅器を含むアナログ回路系の変動的な周波数特性を適応的に等化する機能を有する多面イコライザフィルタ付き適応プリディストータ型歪補償装置に係るものである。
【０００２】
【従来の技術】
携帯電話を始めとする無線通信装置において、リソースである周波数の利用効率を高めるために、線形変調方式が用いられる傾向にあるが、その際、問題となるのが電力増幅器の入出力電力特性の非線形性とそれに起因する電力利用効率の低下である。
【０００３】
送信装置内の電力増幅器の入出力電力特性は、図１７（ａ）に示すように、入力信号電力のレベルがある程度以下のところでは、出力電力が入力電力に比例する線形領域となるが、入力電力がある程度以上になると、出力信号に非線形歪を生じる非線形領域となる。
【０００４】
電力増幅器を線形領域でのみ使用すると電力効率が悪く、電力効率を良くするために非線形領域も使用すると、出力信号の歪によって、同図（ｂ）のスペクトラム図における実線で示すように、隣接する周波数帯域へ漏洩電力を生じ、通信品質の劣化を招く。そのため、隣接する周波数帯域のスペクトルが同図（ｂ）の破線のようになるよう歪補償を行って特性の改善を図る必要がある。
【０００５】
このような歪補償を行うために、現在に至るまでフィードフォワード型を始めとする様々な歪補償装置が提案されている。その一つにフィードバックループを有する適応プリディストータ型歪補償装置がある（例えば、特許文献１等参照）。
【０００６】
適応プリディストータ型歪補償装置は、図１７の（ｃ）に示すように、非線形歪を生じる電力増幅器１７−３の出力信号をフィードバックし、適応歪補償係数算出部１７−１は、該フィードバック信号と送信信号（参照信号）とを比較し、その誤差が最小となるように適応アルゴリズムによって歪補償係数を算出し、該歪補償係数を送信信号に乗算器１７−２により掛け合わせて電力増幅器１７−３に入力することにより、電力増幅器１７−３の非線形歪を補償し、高い電力効率と出力信号の線形性とを同時に満たすことが可能となる。
【０００７】
適応プリディストータ型歪補償装置による歪補償の効果が損なわれないようにするには、振幅の非線形歪以外にアナログ回路部の周波数特性の影響を低減する必要があり、アナログ回路部の周波数特性の逆特性を有するフィルタを用いて等化することにより、これをある程度解決することができる。
【０００８】
また、アナログ回路部は、温度変化や経年変化により、その出力特性が大幅に変動するため、適応的なイコライザが必要であるが、アナログ回路部の振幅特性の等化にのみ焦点を絞った歪補償装置などが提案されている（例えば、特願２００２−０９５９２０号「歪補償装置」参照）。
【０００９】
そのほか、文献公知発明として、電力増幅器からフィードバックされた信号から帯域外電力を測定し、それを基に非線型歪補償を行う歪補償装置が特許文献２に、また、電力増幅器の利得変動に起因する歪補償機能の低下を防止するために、利得調整回路を設けて総合利得が一定値に保たれるように利得調整を行う歪補償装置が特許文献３に、また、歪補償装置に使用されるポストフィルタに起因する群遅延偏差を等化し、プリディストーション補償効果の劣化を防止する歪補償装置が特許文献４に、また、トレーニング信号を基準信号（参照信号）として使用し、等化器を通過後の信号と基準信号との誤差が最小となるように適応フィルタの係数を制御する等化器において、従来固定であった基準信号に与える遅延量を可変制御する構成にし、基準信号と等化器通過後の信号との誤差が最も小さくなる最適遅延量を算出して使用することにより、温度変化や経年変化による特性劣化を防止する歪補償装置が特許文献５に、また、周波数歪を補正するためのＦＩＲフィルタ型補償器に関し、補償対象となる装置を通過した信号を実際に測定し、その信号の周波数特性に対する逆特性となるような周波数特性を指定ポイントで指定した後、ポイント間を直線保管して逆ＦＦＴ演算を行うことにより、上記ＦＩＲフィルタのタップ係数を得る発明が特許文献６に開示されている。
【００１０】
【特許文献１】
特開平９−６８７３３号公報
【特許文献２】
特開２００１−２０３５３９号公報
【特許文献３】
特開２００２−９４３３５号公報
【特許文献４】
特開２０００−２９９６５２号公報
【特許文献５】
特開平８−１４９０５２号公報
【特許文献６】
特開平９−３０７４０１号公報
【００１１】
【発明が解決しようとする課題】
従来の適応プリディストータ型歪補償装置における適応型イコライザ（例えば特願２００２−０９５９２０号「歪補償装置」）は、アナログ回路部の振幅特性のみを適応的に補正することを特徴としているが、位相特性も何らかの手段により補正を行えば、より歪補償の効果を損わないようにすることができる。また、マルチキャリア変調による通信では、使用されるキャリアの数及び周波数帯が変化するため、その変化に応じてアナログ回路部の周波数特性を適応的に補正する必要性がある。
【００１２】
本発明は、このような課題を解決するために、適応プリディストータ型歪補償装置に適した適応型イコライザの実現手段を提示し、アナログ回路部における振幅及び位相の両方の周波数特性を等化し、適応プリディストータ型歪補償装置の歪補償特性の精度向上を図ることを目的とする。
【００１３】
【課題を解決するための手段】
本発明は、適応プリディストータ型歪補償装置に適した適応型イコライザを用い、フィードバック信号から得られる平均帯域外輻射電力等の情報を基に、アナログ回路部の周波数特性を適応的に等化することにより、振幅特性及び位相特性の両方を等化を行い、かつ、それらの瞬時の周波数特性の逆特性を計算処理によって求めるのではなく、予め用意しておいた複数のフィルタ係数群の中から適応的にフィルタ係数を選定することにより実現するものである。
【００１４】
即ち、本発明の多面イコライザフィルタ付き歪補償装置は、（１）電力増幅器を含むアナログ回路部の出力信号のフィードバック信号を基に、適応的に歪補償係数を算出し、該歪補償係数を送信信号に乗じて前記アナログ回路部における歪を補償する歪補償装置において、前記アナログ回路部の振幅及び位相の周波数特性の逆特性を与えるフィルタを備え、前記フィルタに対して、同一の位相特性を有し、送信信号帯域内の振幅特性に一定範囲の傾斜を与えるフィルタ係数群を、位相特性の互いに異なる複数組分保持するメモリを有し、前記フィードバック信号から得られる情報に基づき、前記フィルタに与えるフィルタ係数を、前記メモリに保持されたフィルタ係数群から適応的に選定する手段を備えたものである。
【００１５】
また、（２）前記フィードバック信号から帯域外輻射電力を測定する手段と、該帯域外輻射電力の時間平均が最小となるように、前記フィルタ係数をフィルタ係数群の中から適応的に選定する手段とを備えたものである。
【００１６】
また、（３）同一の位相特性を有するフィルタ係数群における、各振幅傾斜のフィルタ係数に対する平均帯域外輻射電力の最小値を、位相特性の異なる全てのフィルタ係数群に対して算出する手段と、該位相特性の異なる各フィルタ係数群の各平均帯域外輻射電力の最小値の中の最小値を与える位相特性のフィルタ係数群を適応的に選定する手段を備えたものである。
【００１７】
また、（４）電力増幅器を含むアナログ回路部の出力信号のフィードバック信号を基に、適応的に歪補償係数を算出し、該歪補償係数を送信信号に乗じて前記アナログ回路部における歪を補償する歪補償装置において、前記アナログ回路部の振幅及び位相の周波数特性の逆特性をそれぞれ与える従属接続された第１及び第２のフィルタを備え、送信信号帯域内の振幅特性に一定範囲の傾斜を与える振幅補正用フィルタ係数群及び位相補正用フィルタ係数群を予め保持するメモリを有し、前記フィードバック信号から得られる情報に基づき、前記第１のフィルタに与えるフィルタ係数を、前記メモリに保持された振幅補正用フィルタ係数群の中から適応的に選定し、前記第２のフィルタに与えるフィルタ係数を、前記メモリに保持された位相補正用フィルタ係数群の中かから適応的に選定する手段を備えたものである。
【００１８】
また、（５）前記２つの従属されたフィルタを、切替えスイッチにより１つずつ追加挿入して接続する手段を備え、１つのフィルタのみが接続された状態で、振幅特性に関して平均帯域外輻射電力が最小となるフィルタ係数をフィルタ係数群から選定して該フィルタに設定した後、もう一方のフィルタを前記切替えスイッチにより接続し、該フィルタに対して、位相特性に関して平均帯域外輻射電力が最小となるフィルタ係数をフィルタ係数群から選定して設定する手段を備えたものである。
【００１９】
【発明の実施の形態】
図１に本発明の多面イコライザフィルタ付き歪補償装置の基本構成を示す。同図に示すように、送信信号は、複素乗算器１７−２により歪補償係数と乗算され、乗算後の信号はイコライザ用の複素ディジタルフィルタ１−１を通過し、ディジタル‐アナログ（Ａ／Ｄ）変換され、電力増幅器１７−３を通して無線周波数（ＲＦ）出力信号として送信される。
【００２０】
この電力増幅器１７−３の出力信号は、フィードバック信号として適応歪補償係数算出部１７−１に入力され、適応歪補償係数算出部１７−１は、該フィードバック信号と送信信号（参照信号）とを比較し、適応アルゴリズムにより歪補償係数を算出する。フィードバック信号と送信信号（参照信号）との差分である誤差信号が小さいほど、電力増幅器１７−３の非線形歪が補償されたことになり、適応歪補償係数算出部１７−１はこの誤差信号が最小となるように歪補償係数を算出する。
【００２１】
本発明の歪補償装置では、フィードバック信号から得られる情報に基づいて、メモリ１−３に保持されたイコライザ用フィルタ係数群の中から、適応的にフィルタ係数を選択するように動作する。メモリ１−３には、電力増幅器１７−３を含むアナログ回路部の振幅及び位相特性に対する等化のためのフィルタ係数群を予め保持しておく。メモリ１−３に保持されたフィルタ係数群の中から、適応イコライザ１−２により最適なフィルタ係数を選択し、該フィルタ係数を複素ディジタルフィルタ１−１に設定する。
【００２２】
メモリ１−３に保持するフィルタ係数群の例を図２に示す。振幅特性の等化を信号帯域における１次振幅偏差の等化に限定すると、図２に示す周波数特性を有するようなフィルタ係数の集合となる。即ちフィルタ係数群は、Ｍ個の互いに異なる位相特性を有するフィルタ係数群＃１〜＃Ｍから成り、各フィルタ係数群＃ｉ（ｉ＝１，．．．，Ｍ）は、送信信号の帯域内にＸ＋（ｋ−１）Δｘ　ｄＢ（ｋ＝１，．．．，Ｎ）の１次振幅傾斜の振幅特性を有し、該フィルタ係数群＃ｉ内では同一の位相特性の合計Ｎ個のフィルタ係数を含み、全てのフィルタ係数群は、Ｍ×Ｎ個のフィルタ係数から構成される。
【００２３】
振幅傾斜の範囲（Ｘ〜Ｘ＋（ｋ−１）Δｘ　ｄＢ）、傾斜の変化の幅を表す傾斜ステップサイズ（Δｘ　ｄＢ）、及び各フィルタ係数群の位相特性は、使用するメモリ１−３の容量やアナログ回路部の周波数特性の変化量などに応じて決定する。一例として、１次振幅傾斜範囲が−２〜＋２ｄＢ、傾斜ステップサイズが０．１ｄＢの振幅特性で、３つの互いに異なる位相特性のフィルタ係数を備える場合、メモリ１−３に保持される全フィルタ係数は、
｛（２−（−２））／０．１＋１｝×３＝１２３個となる。
【００２４】
図３に帯域外輻射電力を最小とする本発明の歪補償装置の実施形態を示す。この実施形態における適応イコライザは、同図に示すように、フィードバック信号から平均帯域外輻射電力を測定する平均帯域外輻射電力測定部３−１を設け、該平均帯域外輻射電力を、フィルタ係数群の中から特定のフィルタ係数を選択する際の基準として使用するようにしたものである。
【００２５】
フィードバック信号から帯域外輻射電力を測定する手法はいくつか有るが、その一つとして、フィードバック信号をアナログ−ディジタル（Ａ／Ｄ）変換した後のディジタル信号に対し、Ｋポイントの高速フーリエ変換（ＦＦＴ）を行い、その結果得られるＫポイントの周波数の振幅特性から瞬時の帯域外輻射電力レベルを計算する手法を用いることができる。
【００２６】
高速フーリエ変換（ＦＦＴ）のポイント数Ｋは使用する装置のメモリ量に依存するが、ポイント数Ｋが比較的小さい場合（例えばＫ＝１２８、２５６など）には、１回の高速フーリエ変換（ＦＦＴ）によって得られる瞬時帯域外輻射電力の精度が低いため、Ｋポイント高速フーリエ変換（ＦＦＴ）を複数回繰り返し、その平均の振幅特性から得られる平均帯域外輻射電力を使用することができる。
【００２７】
或いは別の帯域外輻射電力測定手法として、フィードバック信号のアナログ−ディジタル（Ａ／Ｄ）変換前のアナログ信号から、電力検波用ＩＣなどを用いて瞬時帯域外輻射電力を直接測定し、一定時間内における平均値を求めて平均帯域外輻射電力とすることも可能である。
【００２８】
図４は高速フーリエ変換（ＦＦＴ）による帯域外輻射電力の測定点の例を示す。帯域外輻射電力を測定する帯域は適当に選定されるが、信号帯域を挟んで周波数が低い帯域と高い帯域とから通常選定される。本発明の説明では以降、信号帯域より低い側の帯域で測定される輻射電力を−側帯域外輻射電力、高い側の帯域で測定される輻射電力を＋側帯域外輻射電力と称することにする。
【００２９】
図５は帯域内１次傾斜（傾斜ポジション）と平均帯域外輻射電力との関係を示す。一般的に、フィルタの信号帯域内の１次傾斜量と平均帯域外輻射電力との関係は、同図に示すように、信号帯域内１次傾斜（傾斜ポジション）の或る特定の点で平均帯域外輻射電力が最小となる曲線を描く（例えば、特願２００２−０９５９２０号「歪補償装置」等参照）。
【００３０】
そこで、信号帯域内の或る１次傾斜（傾斜ポジション）のフィルタ係数を基準にして、隣接する信号帯域内１次傾斜（傾斜ポジション）の２つのフィルタ係数を比較対象として選定し、それぞれのフィルタ係数に対する平均帯域外輻射電力を比較して、より小さな平均帯域外輻射電力をもたらすフィルタ係数を新たな基準として、それに隣接する信号帯域内１次傾斜（傾斜ポジション）の２つのフィルタ係数を新たな比較対象として選定し、それぞれのフィルタ係数に対する平均帯域外輻射電力を比較して上記と同様の手順を順次繰り返して、平均帯域外輻射電力が最小となるフィルタ係数を選定することができる。
【００３１】
図６に上述の平均帯域外輻射電力が最小となるフィルタ係数の選定フローを示す。同図に示すように、まず、フィルタ係数群＃１を選択して（ステップ６−１，６−２）、基準１次傾斜ｑ０　（以後、「基準傾斜ポジション」と称する）を有するフィルタ係数を複素ディジタルフィルタに設定し、平均帯域外輻射電力Ｐ０　を測定する（ステップ６−３）。
【００３２】
続いて基準傾斜ポジションｑ０　に隣接する、比較対象となる１次傾斜量ｑ１　，ｑ２　を有するフィルタ係数（以後、「比較傾斜ポジション」と称する。）を順次設定し、該比較傾斜ポジションｑ１　，ｑ２　の各平均帯域外輻射電力Ｐ１　，Ｐ２　を測定する（ステップ６−４）。
【００３３】
これら３つの平均帯域外輻射電力Ｐ０　，Ｐ１　，Ｐ２　の中の最小値Ｐとそれに対応する傾斜ポジションｑを求め（ステップ６−５）、最小値Ｐが図５の平均帯域外輻射電力の曲線の最小値となることを検出するまで、基準傾斜ポジション及び比較傾斜ポジションを順次変化させながら探索する（ステップ６−６→ステップ６−７→ステップ６−８→ステップ６−４→ステップ６−５→ステップ６−６）。この平均帯域外輻射電力が最小と成る傾斜ポジションを探索する手順の詳細については、例えば、特願２００２−０９５９２０号「歪補償装置」に開示されている。
【００３４】
ステップ６−７において、基準傾斜ポジションｑ０　の平均帯域外電力Ｐ０　が最小値Ｐに等しいことを検出すると、この値をフィルタ係数群＃１による平均帯域外輻射電力の最小値Ｐ＃１として保持する（ステップ６−９）。そして、次に使用するフィルタ係数群を＃２に代え（ステップ６−１１）、ステップ６−２に戻って上述の処理フローと同様の処理を行い、フィルタ係数群＃２による平均帯域外輻射電力の最小値Ｐ＃２を求める（ステップ６−９）。
【００３５】
そして、フィルタ係数群＃Ｍまで同様の処理を行ったか判定し（ステップ６−１０）、フィルタ係数群＃Ｍまで処理を終えると、求めたＭ個の各平均帯域外輻射電力の最小値（Ｐ＃１，Ｐ＃２，，・・・，Ｐ＃Ｍ）を比較し、その中での最小値の傾斜ポジションが属するフィルタ係数群を最終的に使用するフィルタ係数群として選定する（ステップ６−１２）。
【００３６】
以降、この選定したフィルタ係数群の傾斜ポジションを基準傾斜ポジションとして保持しておくために、ステップ６−１３でｊ＝０と設定し（この“０”は、ステップ６―６で設定したｊ＝１の“１”と異なる値であれば何でも良い）、ステップ６−８で、該基準傾斜ポジションとその平均帯域外輻射電力と比較傾斜ポジションとを保持し、ステップ６−４→ステップ６−５→ステップ６−６→ステップ６−８→ステップ６−４のフローを繰り返す。
【００３７】
このように、周波数特性の異なる複数のフィルタ係数群の中から、最も平均帯域外輻射電力が小さいフィルタ係数群を選定することにより、これまでの１通りのフィルタ係数群しか備えていない歪補償装置と比べて、アナログ回路部の周波数特性の変化に対してより精度良く対応することが可能となる。
【００３８】
次に、マルチキャリアパターンの変更に応じてフィルタ係数群を選択する本発明の実施形態について説明する。図７にこの実施形態の構成を示す。同図に示すように、キャリア情報（マルチキャリアパターン情報）を適応イコライザ１−２に通知するキャリア情報通知部７−１を備える。
【００３９】
複数のキャリアを使用するマルチキャリア通信が行われる場合、マルチキャリアパターン、即ち使用するキャリア周波数やキャリア数の変更によって、最適なイコライザ用フィルタが異なるものとなる。これは一般的に、信号帯域内における周波数特性が一様でないために起こる現象で、広帯域通信の場合には個々のキャリアの使用帯域が広くなり、この現象は更に顕著になる。
【００４０】
例として、４つのキャリアによるマルチキャリア通信の場合について説明する。４つのキャリアの使用帯域ｆ１　，ｆ２　，ｆ３　，ｆ４　におけるアナログ回路部の振幅特性が図８の（ａ）に示すような特性であるとする。このような場合、周波数が最も低い信号帯域ｆ１　のみに１キャリアを立てて通信を行なうときと、周波数が最も高い信号帯域ｆ４　のみに１キャリアを立てて通信を行なうときでは、アナログ回路部の振幅特性の傾斜が異なるため、それぞれの帯域の振幅特性に適合したイコライザ用フィルタを選択することが必要となる。
【００４１】
即ち、周波数が最も低い信号帯域ｆ１　のキャリアのみを用いて通信を行なう場合、該信号帯域ｆ１　におけるアナログ回路部の振幅特性は右上がりであるため、図８（ｂ）に示すように、それと逆特性となる右下がりの１次傾斜特性をイコライザ用フィルタに与えるのが望ましい。
【００４２】
一方、周波数が最も高い信号帯域ｆ４　のキャリアのみを用いて通信を行なう場合、該信号帯域ｆ４　におけるアナログ回路部の振幅特性は右下がりであるため、図８（ｃ）に示すように、それと逆特性となる右上がりの１次傾斜特性をイコライザ用フィルタに与えるのが望ましい。
【００４３】
図９にマルチキャリアパターンの変更に応じてフィルタ係数群を選定する処理のフローを示す。この処理のフローは、図６に示した処理フローに、上位装置からのキャリアパターンに関する情報を監視し、キャリアパターンに変化が発生したか否かを判定するステップ９−１を追加し、キャリアパターンが変化したときはステップ６−１に戻って、使用するフィルタ係数群の選択処理を最初からやり直すことにより、最も等化量の大きいフィルタ係数群を適応的に選定するようにしている。
【００４４】
次に、温度情報に応じてフィルタ係数群を選定する本発明の実施形態について説明する。図１０にこの実施形態の構成を示す。この実施形態の歪補償装置は温度センサー１０−１を備え、該温度センサ１０−１は、アナログ回路部の温度変化を監視し、一定時間の平均温度情報を適応イコライザ１−２に通知する。
【００４５】
図１１に温度の変化に応じてフィルタ係数群を選定する処理のフローを示す。この処理のフローは、図６に示した処理フローに、適応イコライザ１−２において温度センサ１０−１より通知される平均温度Ｔを、予め定めた温度に関する閾値Ｔｔｈと比較し、平均温度Ｔが該閾値Ｔｔｈを超えたか否かを判定するステップ１１−１を追加し、温度が閾値Ｔｔｈ以上に変化したときはステップ６−１に戻って、使用するフィルタ係数群の選択処理を最初からやり直すことにより、最も等化量の大きいフィルタ係数群を適応的に選定する。これにより、大幅な温度変化によるアナログ回路部の周波数特性の変動を補正することが可能となる。
【００４６】
次に、従属接続した２つのフィルタを用いる本発明の実施形態について説明する。図１２にこの実施形態の構成を示す。この実施形態の歪補償装置は、従属接続した第１及び第２の複素ディジタルフィルタ１２−１，１２−２に対し、フィードバック信号から得られる情報に基づいて、予めメモリ１−３に保持されたイコライザ用の２つのフィルタ係数群＃１，＃２の中から、適応イコライザ１−２により適応的にフィルタ係数を選択し設定する。
【００４７】
メモリ１−３に保持しておく２つのフィルタ係数群＃１，＃２は、それぞれ、アナログ回路部の振幅特性の等化と位相特性の等化とを目的にした係数群が設定され、例として、図１３に示すように、第１のフィルタ係数群＃１は、送信信号の帯域内にＸ＋（ｋ−１）Δｘ　ｄＢ（ｋ＝１，．．．，Ｎ）の１次振幅傾斜を有する振幅特性及び線形の位相特性を持つ合計Ｎ個のフィルタ係数群（１，１）〜（１，Ｎ）を保持する。一方、第２のフィルタ係数群＃２には、信号帯域内の１次振幅傾斜がない（１次傾斜が０ｄＢ）振幅特性及びそれぞれ異なる位相特性を有する合計Ｎ個のフィルタ係数群（２，１）〜（２，Ｎ）を保持する。
【００４８】
第１のフィルタ係数群＃１における、振幅傾斜の範囲（Ｘ〜Ｘ＋（ｋ−１）Δｘ　ｄＢ）や傾斜の変化の幅を表す傾斜ステップサイズ（ΔｘｄＢ）、及び第２のフィルタ係数群＃２における各フィルタの位相特性は、使用するメモリ１−３の容量やアナログ回路部の周波数特性の変化量などに応じて決定する。
【００４９】
なお、第１及び第２の複素ディジタルフィルタ１２−１，１２−２に設定するフィルタ係数として、順序を逆にして、第１の複素ディジタルフィルタ１２−１に、信号帯域内の１次振幅傾斜がない（１次傾斜が０ｄＢ）振幅特性及びそれぞれ異なる位相特性を有する合計Ｎ個のフィルタ係数群（２，１）〜（２，Ｎ）の中から選定したフィルタ係数を与え、第２の複素ディジタルフィルタ１２−２に、１次振幅傾斜を有する振幅特性及び線形の位相特性を有する合計Ｎ個のフィルタ係数群（１，１）〜（１，Ｎ）の中から選定したフィルタ係数を与える構成としても良い。
【００５０】
図１４に平均対域外電力を基に２つのフィルタの係数を選定する本発明の実施形態を示す。この実施形態における適応イコライザ１−２は、フィルタ係数群の中から特定のフィルタ係数を選択する際の基準として、フィードバック信号から測定される平均帯域外輻射電力を使用する。
【００５１】
フィードバック信号から帯域外輻射電力を測定手法の一つとして、前述のように、フィードバック信号をアナログ−ディジタル（Ａ／Ｄ）変換した後のディジタル信号に対し、Ｋポイントの高速フーリエ変換（ＦＦＴ）を行い、その結果得られる振幅特性から瞬時帯域外輻射電力レベルを計算する手法を用いることができる。
【００５２】
高速フーリエ変換（ＦＦＴ）のポイント数Ｋは、使用する装置のメモリ１−３量に依存するが、ポイント数Ｋが比較的少ないとき（例えばＫ＝１２８、２５６など）には１回の高速フーリエ変換（ＦＦＴ）によって得られる瞬時帯域外輻射電力の精度は低くなるため、Ｋポイント高速フーリエ変換（ＦＦＴ）を複数回繰り返し、その平均振幅特性から得られる平均帯域外輻射電力を使用する。
【００５３】
或いは別の手法として、フィードバック信号のアナログ−ディジタル（Ａ／Ｄ）変換前のアナログ信号から、電力検波用ＩＣなどを用いて瞬時帯域外輻射電力を直接測定し、一定時間における平均値を求めることで平均帯域外輻射電力を得ることも可能である。
【００５４】
図１５に２つのフィルタの係数を順次個別に設定可能にした本発明の実施形態を示す。この実施形態の歪補償装置は、従属接続した第１及び第２の複素ディジタルフィルタ１２−１，１２−２を順番に１つずつ追加挿入接続し得るように、切替えスイッチ１５−１を設けたもので、切替えスイッチ１５−１によりまず、第１の複素ディジタルフィルタ１２−１のみを接続し、フィードバック信号から得られる平均帯域外輻射電力が最小となるよう、予めメモリ１−３に保持された振幅特性等化用の第１のフィルタ係数群＃１の中から、第１の複素ディジタルフィルタ１２−１のフィルタ係数を選択した後、次に切替えスイッチ１５−１により第２の複素ディジタルフィルタ１２−２を追加接続して、位相特性に関して平均帯域外輻射電力が最小となるフィルタ係数を第２のフィルタ係数群＃２の中から選定する。
【００５５】
図１６は２つのフィルタの係数を順次個別に設定する手順フローを示す。同図に示すように、まず切替えスイッチ１５−１を図のＡ側に倒し（ステップ１６−１）、第１の複素ディジタルフィルタ１２−１のみを挿入接続して、該第１の複素ディジタルフィルタ１２−１に対するフィルタ係数を第１のフィルタ係数群＃１をメモリ１−３から選択する（ステップ１６−２）。
【００５６】
基準１次傾斜（基準傾斜ポジション）ｑ０　を有するフィルタ係数を第１の複素ディジタルフィルタ１２−１に設定し、その際の平均帯域外輻射電力Ｐ０　を測定する（ステップ１６−３）。続いて、比較対象となる１次傾斜量（比較傾斜ポジション）を有するフィルタ係数（傾斜ｑ１　、ｑ２　）を順次第１の複素ディジタルフィルタ１２−１に設定し、それぞれの場合における平均帯域外輻射電力Ｐ１　，Ｐ２　を測定する（ステップ１６−４）。
【００５７】
これら３つの平均帯域外輻射電力Ｐ０　，Ｐ１　，Ｐ２　の中での最小値Ｐとそのときの傾斜ポジションｑを求め、最小値Ｐが図５の曲線の最小値に一致するまで、基準傾斜ポジションと比較傾斜ポジションとを変化させ、最小の平均帯域外輻射電力の基準傾斜ポジションｑ０　を選定する（ステップ１６−６→ステップ１６−７→ステップ１６−４→ステップ１６−５→ステップ１６−６）。
【００５８】
ステップ１６−７において、基準傾斜ポジションでの平均帯域外電力Ｐ０　が最小値Ｐと等いと判定されたとき、振幅特性に関して第１のフィルタ係数群＃１における最適フィルタ係数を、第１の複素ディジタルフィルタ１２−１のフィルタ係数に設定する（ステップ１６−８）。
【００５９】
次に、切替えスイッチ１５−１を図のＢ側に倒し（ステップ１６−９）、第２の複素ディジタルフィルタ１２−２に対する第２のフィルタ係数群＃２フィルタ係数をメモリ１−３から選択する（ステップ１６−１０）。第２のフィルタ係数群＃２は、合計Ｎ個の位相特性の異なるフィルタ係数から成り、この中のフィルタ係数を順次、第２の複素ディジタルフィルタ１２−２に設定し、それぞれの平均帯域外輻射電力Ｐ＃　θｉ　（ｉ＝１，．．．，Ｎ）を測定し、保持する（ステップ１６−１１→ステップ１６−１２→ステップ１６−１３→ステップ１６−１４→ステップ１６−１１）。
【００６０】
第２のフィルタ係数群＃２のＮ個の全てに対する平均帯域外輻射電力を測定し終えたか否かを判定し（ステップ１６−１３）、全ての平均帯域外輻射電力を測定し終わると、保持しているＮ個の平均帯域外輻射電力Ｐ＃　θｉ　（ｉ＝１〜Ｎ）の中での最小値Ｐを求め、最小値Ｐに対応するフィルタ係数を第２のフィルタ係数群＃２から選定し、第２の複素ディジタルフィルタ１２−２にこのフィルタ係数を設定する（ステップ１６−１５）。そして、処理フローは最初に戻るが、この際切替えスイッチ１５−１は図のＢ側に倒したままにしておき、同様の処理フローを繰り返す。
【００６１】
このように、従属接続された２つの複素ディジタルフィルタの機能を、第１の複素ディジタルフィルタは振幅特性の等化のみに、第２の複素ディジタルフィルタは位相特性の等化のみに限定することにより機能分担を分け、それによりアナログ回路部の周波数特性が最も等化される（平均帯域外輻射電力が最も小さくなる）フィルタ係数を、メモリ１−３に保持したフィルタ係数群の中から容易に選定することが可能になり、１種類のフィルタ係数群しか備えていない歪補償装置に比較して、アナログ回路部の周波数特性の変化に柔軟に対応することが可能となる。
【００６２】
（付記１）　電力増幅器を含むアナログ回路部の出力信号のフィードバック信号を基に、適応的に歪補償係数を算出し、該歪補償係数を送信信号に乗じて前記アナログ回路部における歪を補償する歪補償装置において、前記アナログ回路部の振幅及び位相の周波数特性の逆特性を与えるフィルタを備え、前記フィルタに対して、同一の位相特性を有し、送信信号帯域内の振幅特性に一定範囲の傾斜を与えるフィルタ係数群を、位相特性の互いに異なる複数組分保持するメモリを有し、前記フィードバック信号から得られる情報に基づき、前記フィルタに与えるフィルタ係数を、前記メモリに保持されたフィルタ係数群から適応的に選定する手段を備えたことを特徴とする多面イコライザフィルタ付き歪補償装置。
（付記２）　前記フィードバック信号から帯域外輻射電力を測定する手段と、該帯域外輻射電力の時間平均が最小となるように、前記フィルタ係数をフィルタ係数群の中から適応的に選定する手段とを備えたことを特徴とする付記１に記載の多面イコライザフィルタ付き歪補償装置。
（付記３）　同一の位相特性を有するフィルタ係数群における、各振幅傾斜のフィルタ係数に対する平均帯域外輻射電力の最小値を、位相特性の異なる全てのフィルタ係数群に対して算出する手段と、該位相特性の異なる各フィルタ係数群の各平均帯域外輻射電力の最小値の中の最小値を与える位相特性のフィルタ係数群を適応的に選定する手段を備えたことを特徴とする付記２に記載の多面イコライザフィルタ付き歪補償装置。
（付記４）　電力増幅器を含むアナログ回路部の出力信号のフィードバック信号を基に、適応的に歪補償係数を算出し、該歪補償係数を送信信号に乗じて前記アナログ回路部における歪を補償する歪補償装置において、前記アナログ回路部の振幅及び位相の周波数特性の逆特性をそれぞれ与える従属接続された第１及び第２のフィルタを備え、送信信号帯域内の振幅特性に一定範囲の傾斜を与える振幅補正用フィルタ係数群及び位相補正用フィルタ係数群を予め保持するメモリを有し、前記フィードバック信号から得られる情報に基づき、前記第１のフィルタに与えるフィルタ係数を、前記メモリに保持された振幅補正用フィルタ係数群の中から適応的に選定し、前記第２のフィルタに与えるフィルタ係数を、前記メモリに保持された位相補正用フィルタ係数群の中かから適応的に選定する手段を備えたことを特徴とする多面イコライザフィルタ付き歪補償装置。
（付記５）　前記２つの従属されたフィルタを、切替えスイッチにより１つずつ追加挿入して接続する手段を備え、１つのフィルタのみが接続された状態で、振幅特性に関して平均帯域外輻射電力が最小となるフィルタ係数をフィルタ係数群から選定して該フィルタに設定した後、もう一方のフィルタを前記切替えスイッチにより接続し、該フィルタに対して、位相特性に関して平均帯域外輻射電力が最小となるフィルタ係数をフィルタ係数群から選定して設定する手段を備えたことを特徴とする付記４に記載の多面イコライザフィルタ付き歪補償装置。
（付記６）　マルチキャリア通信の送信信号におけるキャリアパターンの変更に応じて、前記フィルタに与えるフィルタ係数を前記フィルタ係数群の中から選択し直す手段を備えたことを特徴とする付記１乃至５の何れかに記載の多面イコライザフィルタ付き歪補償装置。
（付記７）　温度センサから得られる温度情報に基づき、前記フィルタに与えるフィルタ係数を前記フィルタ係数群の中から選択し直す手段を備えたことを特徴とする付記１乃至６の何れかに記載の多面イコライザフィルタ付き歪補償装置。
【００６３】
【発明の効果】
以上説明したように、本発明によれば、適応プリディストータ型歪補償装置に適した適応型イコライザを用い、フィードバック信号から得られる平均帯域外輻射電力等の情報を基に、アナログ回路部の振幅特性及び位相特性の両方を適応的に等化することにより、振幅特性のみの等化を行う歪補償装置に比べて、アナログ回路部の周波数特性に対する等化の精度が改善され、また、アナログ回路部の周波数特性の変動に柔軟に適応することができ、歪補償装置の歪補償の精度を向上させることができる。
【００６４】
また、振幅及び位相の周波数特性の逆特性となるフィルタ係数を計算処理によって算出するのではなく、予め用意しておいた複数のフィルタ係数群の中から適応的にフィルタ係数を選定することにより、少ない演算処理量で高速にフィルタ係数を選定することができる。
【図面の簡単な説明】
【図１】本発明の多面イコライザフィルタ付き歪補償装置の基本構成を示す図である。
【図２】本発明によるメモリに保持するフィルタ係数群の例を示す図である。
【図３】帯域外輻射電力を最小とする本発明の歪補償装置の実施形態を示す図である。
【図４】高速フーリエ変換（ＦＦＴ）による帯域外輻射電力の測定点の例を示す図である。
【図５】帯域内１次傾斜（傾斜ポジション）と平均帯域外輻射電力との関係を示す図である。
【図６】平均帯域外輻射電力が最小となるフィルタ係数の選定フローを示す図である。
【図７】マルチキャリアパターンの変更に応じてフィルタ係数群を選択する本発明の実施形態を示す図である。
【図８】キャリアの使用帯域の周波数特性の違いによるフィルタ係数の設定例を示す図である。
【図９】本発明によるマルチキャリアパターンの変更に応じてフィルタ係数群を選定する処理のフローを示す図である。
【図１０】温度情報に応じてフィルタ係数群を選定する本発明の実施形態を示す図である。
【図１１】本発明による温度の変化に応じてフィルタ係数群を選定する処理のフローを示す図である。
【図１２】従属接続した２つのフィルタを用いる本発明の実施形態を示す図である。
【図１３】メモリに保持する２つのフィルタ係数群＃１，＃２の構成とその周波数特性の例を示す図である。
【図１４】平均帯域外輻射電力を基に２つのフィルタの係数を選定する本発明の実施形態を示す図である。
【図１５】２つのフィルタの係数を順次個別に設定可能にした本発明の実施形態を示す図である。
【図１６】２つのフィルタの係数を順次個別に設定する手順フローを示す図である。
【図１７】従来の適応プリディストータ型歪補償装置の説明図である。
【符号の説明】
１−１　複素ディジタルフィルタ
１−２　適応イコライザ
１−３　フィルタ係数保持用のメモリ
１７−１　適応歪補償係数算出部
１７−２　乗算器
１７−３　電力増幅器
【図１】
2004128833.tif 000003
【図２】
2004128833.tif 000004
【図３】
2004128833.tif 000005
【図４】
2004128833.tif 000006
【図５】
2004128833.tif 000007
【図６】
2004128833.tif 000008
【図７】
2004128833.tif 000009
【図８】
2004128833.tif 000010
【図９】
2004128833.tif 000011
【図１０】
2004128833.tif 000012
【図１１】
2004128833.tif 000013
【図１２】
2004128833.tif 000014
【図１３】
2004128833.tif 000015
【図１４】
2004128833.tif 000016
【図１５】
2004128833.tif 000017
【図１６】
2004128833.tif 000018
【図１７】
2004128833.tif 000019